(57)【特許請求の範囲】
【請求項１】
表示データを受けてこれに対応する表示のためのアナログの電流を発生するＤ／Ａ変換回路と、
カレントミラー回路を有し、前記Ｄ／Ａ変換回路からの出力電流で駆動され有機ＥＬ表示パネルの端子ピンを電流駆動する電流駆動回路とを備え、
前記カレントミラー回路の前記出力側トランジスタと入力側トランジスタとにそれぞれ負荷抵抗を挿入し、これら負荷抵抗のいずれか一方の抵抗値を調整することにより前記有機ＥＬ表示パネルの輝度についてのγ補正値を選択することを特徴とする有機ＥＬ駆動回路。
【請求項２】
前記カレントミラー回路は、前記電流駆動回路の出力段に設けられ、前記カレントミラー回路の出力側トランジスタの出力電流により前記端子が駆動されるものである請求項１記載の有機ＥＬ駆動回路。
【請求項３】
前記抵抗値を調整する負荷抵抗は、前記出力側トランジスタ側に挿入されたものである請求項２記載の有機ＥＬ駆動回路。
【請求項４】
前記出力側トランジスタの負荷抵抗は、複数の抵抗が直列に接続され、その各接続点がスイッチ回路を介して出力トランジスタに接続されて前記負荷抵抗の抵抗値が選択される請求項３記載の有機ＥＬ駆動回路。
【請求項５】
有機ＥＬ表示パネルと、
表示データを受けてこれに対応する表示のためのアナログの電流を発生するＤ／Ａ変換回路と、
カレントミラー回路を有し、前記Ｄ／Ａ変換回路からの出力電流で駆動され有機ＥＬ表示パネルの端子ピンを電流駆動する電流駆動回路とを備え、
前記カレントミラー回路の前記出力側トランジスタと入力側トランジスタとにそれぞれ負荷抵抗を挿入し、これら負荷抵抗のいずれか一方の抵抗値を調整することにより前記有機ＥＬ表示パネルの輝度についてのγ補正値を選択することを特徴とする有機ＥＬ表示装置。
【請求項６】
前記カレントミラー回路は、前記電流駆動回路の出力段に設けられ、前記カレントミラー回路の出力側トランジスタの出力電流により前記端子が駆動されるものである請求項５記載の有機ＥＬ表示装置。
【請求項７】
前記抵抗値を調整する負荷抵抗は、前記出力側トランジスタ側に挿入されたものである請求項６記載の有機ＥＬ表示装置。
【請求項８】
前記出力側トランジスタの負荷抵抗は、複数の抵抗が直列に接続され、その各接続点がスイッチ回路を介して出力トランジスタに接続されて前記負荷抵抗の抵抗値が選択される請求項７記載の有機ＥＬ表示装置。
【発明の詳細な説明】
【０００１】
【発明の属する技術分野】
この発明は、有機ＥＬ駆動回路および有機ＥＬ表示装置に関し、詳しくは、カレントミラー回路を利用したＤ／Ａ変換回路により入力デジタル値に対応する電流値を生成して有機ＥＬパネルのピン駆動電流を発生するカラムライン（陽極側ドライブライン、以下同じ）の電流駆動回路において、その占有面積の増加が少なく、簡単な回路で有機ＥＬパネルの表示輝度についてγ補正量が選択できる有機ＥＬ駆動回路および有機ＥＬ表示装置の改良に関する。
【０００２】
【従来の技術】
有機ＥＬ表示装置は、自発光による高輝度表示が可能であることから、小画面での表示に適し、携帯電話機、ＤＶＤプレーヤ、ＰＤＡ（携帯端末装置）等に搭載される次世代表示装置として現在注目されている。この有機ＥＬ表示装置には、液晶表示装置のように電圧駆動を行うと、輝度ばらつきが大きくなり、かつ、Ｒ（赤），Ｇ（緑），Ｂ（青）に感度差があることから制御が難しくなる問題点がある。
そこで、最近では、電流駆動のドライバを用いた有機ＥＬ表示装置が提案されている。例えば、特開平１０−１１２３９１号などでは、電流駆動により輝度ばらつきの問題を解決する技術が記載されている。
【０００３】
携帯電話機用の有機ＥＬ表示装置の有機ＥＬ表示パネルでは、カラムラインの数が３９６個（１３２×３）の端子ピン（以下ピン）、ローラインが１６２個のピンを持つものが提案され、カラムライン、ローラインのピンはこれ以上に増加する傾向にある。
このような有機ＥＬ表示パネルの電流駆動回路の出力段は、アクディブマトリックス型でも単純マトリックス型のものでもピン対応に電流源の駆動回路、例えば、カレントミラー回路による出力回路が設けられている。そのドライブ段は、例えば、特願２００１−８６９６７号に示されるようにピン対応に多数の出力側トランジスタを有するパラレル駆動のカレントミラー回路として、手前の入力段となる基準電流発生回路から基準電流を受けてピン対応に多数のミラー電流を発生して、あるいはこのミラー電流として発生した基準電流をｋ倍（ｋは２以上の整数）の電流に増幅して前記のカレントミラー回路により出力回路を駆動する。そして、そのｋ倍電流増幅回路には、ピン対応にＤ／Ａ変換回路を設けて、このＤ／Ａ変換回路がカラム側のピン対応に表示データを受けてこの表示データをピン対応にＡ／Ｄ変換して１ライン分の駆動電流を同時に生成する。
【０００４】
図３は、このような有機ＥＬ駆動回路のカラムドライバ１であって、２は、そのＤ／Ａ変換回路、３は、そのカレントミラー電流出力回路である。
Ｄ／Ａ変換回路２は、定電流源１４ａからの電流Ｉを入力端子２ａを介してコレクタに受けるダイオード接続のｎｐｎ型の入力側バイポーラトランジスタＱaを有し、これにカレントミラー接続された出力側ｎｐｎ型バイポーラトランジスタＱb〜Ｑn-1、各出力側トランジスタＱb〜Ｑn-1のエミッタとグランドＧＮＤ間にスイッチ回路として接続されたＮチャネルＭＯＳＦＥＴトランジスタＴrb〜Ｔrn-1が設けられている。そして、トランジスタＴrb〜Ｔrn-1のゲートがそれぞれＤ0〜Ｄn-1のＤ／Ａ変換の各入力端子に接続されている。
【０００５】
出力側トランジスタＱb〜Ｑn-1は、それぞれのコレクタが出力端子２ｂに接続され、トランジスタＱaのエミッタ面積に対してそれぞれのトランジスタが×１，×２，×４，…×ｎの倍数のエミッタ面積比を持っている。なお、入力側トランジスタＱaのエミッタは、抵抗ＲaとＮチャネル型のＭＯＳＦＥＴトランジスタＴraの直列回路を介してグランドＧＮＤに接続され、トランジスタＴraのゲートは電源ライン＋ＶDDに接続されている。
このＤ／Ａ変換回路２は、ＣＰＵ，ＭＰＵ等のプロセッサからそのときどきの表示輝度に応じたデジタル値の表示データを入力端子Ｄ0〜Ｄn-1に受けて出力端子２ｂに入力データ（表示データ）に応じたアナログの電流値を発生する。なお、この図では、ドライブ段のそれぞれの１ピン分の駆動回路を簡略化して定電流源１４ａとして示してある。また、トランジスタＴrrとトランジスタＱrは、カレントミラー接続の共通ベースラインへベース電流を供給するベース電流供給回路であり、トランジスタＱrのエミッタは、抵抗ＲrとＮチャネル型のＭＯＳＦＥＴトランジスタＴrraの直列回路を介してグランドＧＮＤに接続され、トランジスタＴrraのゲートは電源ライン＋ＶDDに接続されている。
であり、トランジスタＱrのエミッタは、抵抗ＲrとＮチャネル型のＭＯＳＦＥＴトランジスタＴrraの直列回路を介してグランドＧＮＤに接続され、トランジスタＴrraのゲートは電源ライン＋ＶDDに接続されている。
【０００６】
カレントミラー電流出力回路３は、ドライブ段カレントミラー回路３ａと出力段カレントミラー回路３ｂとからなる。
カレントミラー回路３ａは、ピーク電流生成回路であって、ダイオード接続されたｐｎｐ型の入力側トランジスタＱsと出力側トランジスタＱtとからなり、それぞれのエミッタ側がＰチャネルＭＯＳＦＥＴトランジスタＴrs，ＮチャネルＭＯＳＦＥＴトランジスタＴrtを介して出力段カレントミラー回路３ｂの入力端子３ｃに接続されている。
入力側トランジスタＱsのコレクタは、Ｄ／Ａ変換回路２の出力端子２bに接続され、出力側トランジスタＱtのコレクタは、グランドＧＮＤに接続されている。トランジスタＱsとトランジスタＱtのエミッタ面積比は１：ｘである。そこで、カレントミラー回路３ａは、トランジスタＴrtがＯＮしているときには、（１＋ｘ）倍の駆動電流を生成する。トランジスタＴrsは、トランジスタＴrtに対応して設けられた負荷トランジスタであって、そのゲートはグランドＧＮＤに接続されていて、駆動ラインをバランスさせるために挿入されている。
【０００７】
トランジスタＴrtは、駆動初期の一定期間だけコントロール信号CONTを受けてＯＮになる。
これにより出力段カレントミラー回路３ｂの入力側トランジスタＱxがベース電流補正駆動用のｐｎｐ型のカレントミラートランジスタＱu，Ｑwを介して駆動される。その結果、ｐｎｐ型の入力側トランジスタＱxによりトランジスタＴrtがＯＮしたピーク駆動時の一定期間には（１＋ｘ）Ｉaの電流が流れる。その後に通常駆動電流として駆動電流Ｉaが出力される。それらが出力段カレントミラー回路３ｂのｐｎｐ型の出力側トランジスタＱyでさらにＮ倍に電流増幅されて、有機ＥＬパネルのピン９に出力される。
なお、出力段カレントミラー回路３ｂのトランジスタＱxとトランジスタＱyのエミッタ面積比は１：Ｎであり、これらトランジスタのエミッタは、電源ライン＋ＶDDではなく、これより高い電圧、例えば、＋１５Ｖ乃至＋２０Ｖ程度の電源ライン＋Ｖccに接続され、出力側トランジスタＱyのコレクタは、カラム側のピン９に接続されている。
【０００８】
【発明が解決しようとする課題】
近年、駆動ピン数は高解像度の要請により増加する傾向にある。有機ＥＬ表示パネルの各有機ＥＬ素子は、ブラウン管と同様に表示データの値に対して輝度が直線的な関係はになく、Ｒ，Ｇ，Ｂの材料による素子特性に応じた曲線になる。そこで、有機ＥＬ表示装置を使用する周囲の環境が変わると、例えば、昼間と夜とでは画質が変化し、有機ＥＬ表示パネルが高解像度になればなるほど、この画質の変化が目立ってくる。そのためにγ補正をすることが必要になる。通常、γ補正をする場合には、ドライバ等でソフト的にＤ／Ａ変換回路に設定する表示データを補正することが考えられるが、家庭電化品や携帯電話のような携帯型の機器では、いちいちドライバを選択してロードするような処理は不向きである。
そこで、γ補正回路を搭載することで使用環境変化に応じて表示装置の画質を改善することになるが、前記のようなＤ／Ａ変換回路により表示データに応じた駆動電流を生成する回路では、各画素対応にしなければならないので、その分、γ補正回路の増加により電流駆動回路の占有面積が増える問題がある。
この発明の目的は、このような従来技術の問題点を解決するものであって、電流駆動回路の占有面積の増加が少なく、簡単な回路で有機ＥＬパネルの表示輝度についてγ補正量が選択できる有機ＥＬ駆動回路および有機ＥＬ表示装置を提供することにある。
【０００９】
【課題を解決するための手段】
このような目的を達成するためのこの発明の有機ＥＬ駆動回路および有機ＥＬ表示装置の特徴は、表示データを受けてこれに対応する表示のためのアナログの電流を発生するＤ／Ａ変換回路と、カレントミラー回路を有し、Ｄ／Ａ変換回路からの出力電流で駆動され有機ＥＬ表示パネルの端子ピンを電流駆動する電流駆動回路とを備えていて、カレントミラー回路の出力側トランジスタと入力側トランジスタとにそれぞれ負荷抵抗を挿入し、これら負荷抵抗のいずれか一方の抵抗値を調整することにより有機ＥＬ表示パネルの輝度についてのγ補正値を選択するものである。
【００１０】
【発明の実施の形態】
このように、この発明にあっては、電流駆動回路に設けられているカレントミラー回路の入力側トランジスタと出力側トランジスタとに負荷抵抗をそれぞれ挿入して、これらの抵抗値をアンバランスにすることで出力電流値を入力電流値に対してγ特性を持たせる。そして、入力側トランジスタと出力側トランジスタとのいずれか一方の負荷抵抗の抵抗値を選択できるようにすることで、γ補正値を選択する。この場合、γ補正値を選択する回路がカレントミラー回路の負荷抵抗であるので、γ補正回路が簡単なものとなる。
このように、Ｄ／Ａ変換回路の後のカレントミラー回路に負荷抵抗回路を設ければγ補正ができるので、特別にγ補正値を選択するγ補正回路を追加して設ける必要はなくなる。電流駆動回路は、ｋ倍増幅回路等のドライブ段にはカレントミラー回路が用いられ、特に、出力段は、通常、カレントミラー回路で構成されているので、この出力段に設ければ一層よく、占有領域が小さくて済む。
その結果、電流駆動回路の占有面積の増加が抑えられ、有機ＥＬパネルの表示輝度についてγ補正量の選択が可能となる。これにより、周囲の環境に応じて見やすい画質で画像の表示が可能な有機ＥＬ駆動回路および有機ＥＬ表示装置を容易に実現することができる。
【００１１】
【実施例】
図１は、この発明の有機ＥＬ駆動回路を適用した一実施例の電流駆動回路のブロック図、図２は、そのγ補正特性の説明図である。なお、図３と同一の構成  要素は同一の符号で示す。
図１において、１０は、有機ＥＬ駆動回路のカラムドライバであって、１１は、そのＤ／Ａ変換回路、１２は、ドライブ段のそれぞれの１ピン分の駆動回路を簡略化した図３の定電流源１４ａに対応する定電流源、１３は、カレントミラー電流出力回路、１４は、ピーク電流生成回路、１５は、γ補正回路、そして１６は、コントロール回路である。
Ｄ／Ａ変換回路１１は、図３のＤ／Ａ変換回路２に対応しているが、バイポーラトランジスタではなく、ＭＯＳＦＥＴトランジスタで構成されている。Ｎチャネルの入力側トランジスタＴNaがＤ／Ａ変換回路２の入力側トランジスタＱaに対応し、Ｎチャネルの出力側トランジスタＴNb〜ＴNn-1が出力側トランジスタＱb〜Ｑn-1に対応していて、カレントミラー回路を構成している。このＤ／Ａ変換回路１１は、さらに入力側トランジスタＴNaに並列に接続されたカレントミラーのＮチャネルの入力側トランジスタＴNpを有している。そして、トランジスタＴNaとトランジスタＴNpは、チャネル幅比が１：９に設定されている。トランジスタＴNaのソースは、抵抗Ｒaを介してグランドＧＮＤに接続され、トランジスタＴNpのソースは抵抗Ｒpa，スイッチ回路ＳＷpaを介してグランドＧＮＤに接続されている。
【００１２】
２個の入力側トランジスタＴNaと入力側トランジスタＴNpとは、定電流源１２から電流Ｉpを入力端子１１ａを介して受ける。定電流源１２は、図３の定電流源１４ａと異なり、その電流値が電流Ｉより大きい電流Ｉpに変更されている。入力側トランジスタＴNaにこの電流Ｉpが動作電流として流れたときには、Ｄ／Ａ変換回路１１の出力端子１１ｂにピーク電流Ｉa＝Ｉpaを発生する電流量に設定されている。
なお、抵抗Ｒb〜Ｒn-1は、出力側トランジスタＴNb〜ＴNn-1のソースとトランジスタＴrb〜Ｔrn-1のドレインとの間に挿入された抵抗である。これによりＤ／Ａ変換回路の電流ペアリング精度を向上させることができる。また、図３のトランジスタＴrrとトランジスタＱrに相当するベース電流供給回路はここでは削除してある。
カレントミラー電流出力回路１３は、図３のカレントミラー電流出力回路３に対応する回路であるが、これもバイポーラトランジスタではなく、ＭＯＳＦＥＴトランジスタで構成され、駆動レベルシフト回路１３ａと出力段カレントミラー回路１３ｂとからなる。ここには、図３のカレントミラー回路３ａに相当するピーク電流生成回路はない。
【００１３】
駆動レベルシフト回路１３ａは、Ｄ／Ａ変換回路１１の出力を出力段カレントミラー回路１３ｂに伝達するための回路であって、ＮチャネルトのＭＯＳＦＥＴトランジスタＴNvからなる。そのゲートはバイアスラインＶbに接続され、ソース側がＤ／Ａ変換回路１１の出力端子１１ａに接続されている。そしてドレイン側が出力段カレントミラー回路１３ｂの入力端子１３cに接続されている。
これによりＤ／Ａ変換回路１１の出力電流をＩaとすると、これに対して入力端子１３cにＩaの駆動電流を発生することができる。
【００１４】
出力段カレントミラー回路１３ｂは、図３のベース電流補正駆動用のカレントミラーのトランジスタＱu，Ｑwに対応するＰチャネルＭＯＳＦＥＴトランジスタＴPu，ＴPwと、図３のカレントミラーのトランジスタＱx，Ｑyに対応するＰチャネルＭＯＳＦＥＴトランジスタＴPx，ＴPyとγ補正回路１５とを有している。
出力段カレントミラー回路１３ｂのトランジスタＴPxとトランジスタＴPyのソース面積比は１：Ｎであり、これらトランジスタのソースは、電源ライン＋ＶDDではなく、これより高い電圧、例えば、＋１５Ｖ程度の電源ライン＋Ｖccにγ補正回路１５を介して接続され、出力側トランジスタＴPyは、カラム側のピン９に接続され、駆動時にはＮ×Ｉaの駆動電流を流してピン９を駆動する。このピン９とグランドＧＮＤとの間には、ＥＬ素子４が接続されている。なお、図中のＶcもバイアスラインである。
【００１５】
γ補正回路１５は、電源ライン＋ＶccとトランジスタＴPxのソースとの間に接続された負荷抵抗Ｒと、電源ライン＋ＶccとトランジスタＴPyのソースとの間に接続された直列負荷抵抗回路１５ａとを有している。直列負荷抵抗回路１５ａは、直列に接続された負荷抵抗Ｒ1，Ｒ2，Ｒ3，Ｒ4，Ｒ5，Ｒ6と、負荷抵抗Ｒ1，Ｒ2，Ｒ3，Ｒ4，Ｒ5，Ｒ6の５個の各抵抗のそれぞれの接続点とトランジスタＴPyのソースとの間にそれぞれスイッチ回路ＳＷ1，ＳＷ2，ＳＷ3，ＳＷ4，ＳＷ5が設けられている。各スイッチ回路ＳＷ1〜ＳＷ5は、ＰチャネルＭＯＳトランジスタで構成されるスイッチであって、デコーダ１５ｂから受けるＬｏｗレベル（以下“Ｌ”），Ｈｉｇｈレベル（以下“Ｈ”）の信号に応じてＯＮ／ＯＦＦされ、通常は、スイッチ回路ＳＷ1が１つ“Ｌ”の信号を受けてこれがＯＮ状態に設定されている。他のスイッチ回路はこのとき“Ｈ”の信号を受けている。
デコーダ１５ｂは、レジスタ１８からの４ビットの信号Ｄa〜Ｄdを受けてそのデータをデコードすることで、スイッチ回路ＳＷ1〜ＳＷ5のいずれかいつのスイッチ回路をＯＮとし、他のスイッチ回路をＯＦＦとするか、あるいはスイッチ回路ＳＷ1〜ＳＷ5全部をＯＦＦとする。なお、前記のスイッチ回路ＳＷ1だけがＯＮの初期状態のときには、レジスタ１８には４ビットオール“０”が設定され、レジスタ１８のデータがリセットされた状態にある。
さて、レジスタ１８のデータＤa〜Ｄdは、ＭＰＵ１７から送出され、コントロール回路１６からのラッチ信号Ｌpでラッチされる。これによりスイッチ回路ＳＷ1〜ＳＷ5のＯＮ／ＯＦＦが制御される。
ＭＰＵ１７は、画質調整の操作のための可変抵抗２０の操作に応じてレジスタ１８にγ補正データを設定する。
【００１６】
これによりγ補正特性が変化する。図２は、その一例であって、直線性のよいＧ（緑）の有機ＥＬ素子の場合のγ補正特性である。入力側トランジスタＴPyと出力側トランジスタＴPxのエミッタ面積比を１：１０として、縦軸は、トランジスタＴPyのピン駆動電流値Ｉoutを、横軸は、トランジスタＴPxの駆動電流値Ｉinを両対数で表したグラフである。そして、負荷抵抗Ｒの抵抗値を１００ｋΩとし、負荷抵抗Ｒ1，Ｒ2，Ｒ3，Ｒ4，Ｒ5，Ｒ6の各抵抗値を各１０ｋΩとした場合のシミュレーションした結果である。
これにより、スイッチ回路ＳＷ1がＯＮとなっている初期状態のときには、入力側と出力側の駆動電流量が１：１０であり、負荷抵抗が逆に１０：１となっているので、γ補正値は、γ≒１．０となる。そして、スイッチ回路ＳＷ2をＯＮしたときには、γ≒１．３となる。以下、スイッチ回路ＳＷ3，ＳＷ4，ＳＷ5、そして全部のスイッチ回路がＯＦＦしたときに応じてγは、γ≒１．６，γ≒１．９ ，γ≒２．４ ，γ≒２．７が選択できる。
【００１７】
通常、γ補正として使用する値は、有機ＥＬ素子の場合には、１．０，２．２，２．５程度のものがあれば十分である。そこで、可変抵抗２０を操作（外部の操作）に応じてＭＰＵ１７が選択されたγ補正値に対応するデータをレジスタ１８に設定する。なお、コントロール回路１６は、ＭＰＵ１７から制御信号Ｓを受けてラッチパルスＬpをレジスタ１８とレジスタ１９とに発生する。このラッチパルスＬpによりレジスタ１８とレジスタ１９とにそれぞれデータが設定される。ここで、レジスタ１９に設定されるデータは、表示データであって、Ｄ／Ａ変換回路１１の入力端子ＤO〜Ｄn-1に送出されるデータである。
ところで、この実施例では、各スイッチ回路ＳＷ1〜ＳＷ5は、負荷抵抗Ｒ1，Ｒ2，Ｒ3，Ｒ4，Ｒ5，Ｒ6の各接続点とトランジスタＴPyのソースとの間に設けられているが、各スイッチ回路ＳＷ1〜ＳＷ5は、各負荷抵抗Ｒ2，Ｒ3，Ｒ4，Ｒ5，Ｒ6に並列に設けられていてもよい。これにより直列負荷抵抗回路１５ａの前抵抗値が調整されてもよい。
また、この実施例では、カラムラインの電流駆動回路の出力段のカレントミラー回路における出力側トランジスタの負荷抵抗の抵抗値をその入力側トランジスタの負荷抵抗の抵抗値に対して調整している。しかし、これは、入力側トランジスタの負荷抵抗の抵抗値を出力側トランジスタの負荷抵抗に対して調整するようにしてもよい。
【００１８】
以上説明してきたが、実施例では、出力段のカレントミラー回路に入力側と出力側とに負荷抵抗を挿入してγ補正回路としているが、この発明は、表示データを受けてそれに応じた電流値の電流信号を発生するＤ／Ａ変換回路の後段であればどの位置にあるカレントミラー回路に負荷抵抗によるγ補正回路をもうけてもよい。
また、実施例の回路では、ＭＯＳＦＥＴトランジスタを主体として構成しているが、バイポーラトランジスタを主体として構成してもよいことはもちろんである。また、実施例のＮチャンネル型（あるいはｎｐｎ型トランジスタ）は、Ｐチャンネル型（あるいはｐｎｐ型）トランジスタに、Ｐチャンネル型（あるいはｐｎｐ型）トランジスタは、Ｎチャンネル（あるいはｎｐｎ型）トランジスタに置き換えることができる。この場合には、電源電圧は負となり、上流に設けたトランジスタは下流に設けることになる。
【００１９】
【発明の効果】
以上説明してきたように、この発明にあっては、電流駆動回路に設けられているカレントミラー回路の入力側トランジスタと出力側トランジスタとに負荷抵抗をそれぞれ挿入して、これらの抵抗値をアンバランスにすることで出力電流値を入力電流値に対してγ特性を持たせる。そして、入力側トランジスタと出力側トランジスタとのいずれか一方の負荷抵抗の抵抗値を選択できるようにすることで、γ補正値を選択する。この場合、γ補正値を選択する回路がカレントミラー回路の負荷抵抗であるので、γ補正回路が簡単なものとなる。
その結果、電流駆動回路の占有面積の増加が抑えられ、有機ＥＬパネルの表示輝度についてγ補正量の選択が可能となる。これにより、周囲の環境に応じて見やすい画質で画像の表示が可能な有機ＥＬ駆動回路および有機ＥＬ表示装置を容易に実現することができる。
【図面の簡単な説明】
【図１】図１は、この発明の有機ＥＬ駆動回路を適用した一実施例の電流駆動回路のブロック図である。
【図２】図２は、従来の有機ＥＬ駆動回路のＤ／Ａ変換回路の一例の説明図である。
【図３】図３は、従来の有機ＥＬ駆動回路のＤ／Ａ変換回路の一例の説明図である。
【符号の説明】
１，１０…カラムドライバ、２，１１…Ｄ／Ａ変換回路、
２a…入力端子、２b…出力端子、
３，１３…カレントミラー電流出力回路、
３ａ…ドライブ段カレントミラー回路、
３b…出力段カレントミラー回路、４…有機ＥＬ素子、
５…パルス発生回路、６…駆動パルス、
７…充電回路、８…スイッチング素子、
９…ピン、１２…ピーク電流生成回路、
１３…カレントミラー電流出力回路、
１３ａ…駆動レベルシフト回路、
１３ｂ…出力段カレントミラー回路、
１６…コントロール回路、１７…ＭＰＵ、
１８，１９…レジスタ、２０…可変抵抗、
Ｑ1〜Ｑm，Ｑa〜Ｑn-1，ＴPu〜TPy，ＴNa〜TNn-1…トランジスタ。
【図１】
0003868836.tif 000002
【図２】
0003868836.tif 000003
【図３】
0003868836.tif 000004